(57)【要約】【課題】アプリケーションを用いずに真贋判定を可能にした情報記録体、媒体及び冊子体を提供する。【解決手段】画像Ｃ１と、画像Ｃ１の上に形成される画像Ｃ２とを含む合成画像を具備した情報記録体３０は、画像Ｃ１が、光輝性材料で形成された画像であり、画像Ｃ２が、透明素材で形成され、少なくともコード認識用画像と図柄画像とを含み、コード認識用画像は、特定の規則によって生成されたパターン画像であり、観察角度によって反射光量の異なるように構成され、図柄画像は、前記透明素材に蛍光材料が付与されており、合成画像は、特定の観察角度においてコード認識用画像を認識可能なものであり、特定の波長において図柄画像を認識可能なものである。【選択図】図１
2020189442.tif 000002
【特許請求の範囲】
【請求項１】
第１画像と、前記第１画像の上に形成される第２画像とを含む合成画像を具備した情報記録体であって、
前記第１画像は、光輝性材料で形成された画像であり、
前記第２画像は、透明素材で形成され、少なくとも第１分割画像と第２分割画像とを含み、
前記第１分割画像は、特定の規則によって生成されたパターン画像であり、観察角度によって反射光量の異なるように構成され、
前記第２分割画像は、前記透明素材に蛍光材料が付与されており、
前記合成画像は、特定の観察角度において前記第１分割画像を認識可能なものであり、特定の波長において前記第２分割画像を認識可能なものである、情報記録体。
【請求項２】
請求項１に記載の情報記録体において、
前記第２分割画像は、前記規則によって生成されたパターン画像であり、観察角度によって反射光量の異なるように構成され、
前記合成画像は、前記特定の観察角度において前記第１分割画像及び前記第２分割画像を含む前記第２画像を認識可能である、情報記録体。
【請求項３】
請求項１又は請求項２に記載の情報記録体において、
前記第１分割画像の領域は、前記第１分割画像に対して前記規則に対応した変換処理をすることでコードに対応するデータを生成可能な大きさを有する、情報記録体。
【請求項４】
請求項１から請求項３までのいずれか一項に記載の情報記録体において、
前記第２分割画像には、ＵＶ−Ｂ域又はＵＶ−Ｃ域の光において発光する前記蛍光材料が前記透明素材に付与されており、
前記合成画像は、ＵＶ−Ｂ域及びＵＶ−Ｃ域の波長の紫外線において前記第２分割画像を認識可能なものである、情報記録体。
【請求項５】
請求項１から請求項４までのいずれか一項に記載の情報記録体において、
前記第１分割画像には、ＵＶ−Ｂ域又はＵＶ−Ｃ域の光において発光する前記蛍光材料が前記透明素材に付与されており、
前記第１分割画像と、前記第２分割画像とは、異なる色を発光するものであり、
前記合成画像は、ＵＶ−Ｂ域及びＵＶ−Ｃ域の波長の紫外線において前記第１分割画像を認識可能である、情報記録体。
【請求項６】
請求項１から請求項５までのいずれか一項に記載の情報記録体において、
前記第１画像は、背景画像とパターン画像とから構成され、
前記背景画像は、５０％以上７０％以下の網点面積率で構成され、
前記パターン画像は、１００％の網点面積率で構成される、情報記録体。
【請求項７】
請求項１から請求項６までのいずれか一項に記載の情報記録体を備える媒体。
【請求項８】
請求項１から請求項６までのいずれか一項に記載の情報記録体を備える冊子体。
【発明の詳細な説明】
【技術分野】
【０００１】
本発明は、情報記録体、媒体及び冊子体に関する。
【背景技術】
【０００２】
従来、画像等に特定の情報を埋め込む電子透かしの技術がある。この技術を印刷物に用いれば、人間が視覚で認識できないレベルで情報を埋め込むことができ、印刷物における美術的な効果を損なうことがない。また、印刷物に埋め込まれた情報は、読取装置で読み取ることができる。
【０００３】
この埋め込まれた情報を、例えば、真贋判定に用いる場合には、複製物からは、埋め込まれた情報を推定されにくいものが望ましい。そのため、埋め込み情報を推定されにくいように工夫した情報記録体に関する技術が開示されている（例えば、特許文献１）。
【先行技術文献】
【特許文献】
【０００４】
【特許文献１】特開２０１６−９３８９５号公報
【発明の概要】
【発明が解決しようとする課題】
【０００５】
特許文献１に記載のものは、コードを読取可能なアプリケーションを、スマートフォン等の携帯端末にインストールして行うものである。しかし、工場等のセキュリティエリア等であって携帯端末を使用できない場所で用いる場合に、真贋判定ができなかった。
【０００６】
本発明は、アプリケーションを用いずに真贋判定を可能にした情報記録体、媒体及び冊子体を提供することを目的とする。
【課題を解決するための手段】
【０００７】
本発明は、以下のような解決手段により、前記課題を解決する。
第１の発明は、第１画像と、前記第１画像の上に形成される第２画像とを含む合成画像を具備した情報記録体であって、前記第１画像は、光輝性材料で形成された画像であり、前記第２画像は、透明素材で形成され、少なくとも第１分割画像と第２分割画像とを含み、前記第１分割画像は、特定の規則によって生成されたパターン画像であり、観察角度によって反射光量の異なるように構成され、前記第２分割画像は、前記透明素材に蛍光材料が付与されており、前記合成画像は、特定の観察角度において前記第１分割画像を認識可能なものであり、特定の波長において前記第２分割画像を認識可能なものである、情報記録体である。
第２の発明は、第１の発明の情報記録体において、前記第２分割画像は、前記規則によって生成されたパターン画像であり、観察角度によって反射光量の異なるように構成され、前記合成画像は、前記特定の観察角度において前記第１分割画像及び前記第２分割画像を含む前記第２画像を認識可能である、情報記録体である。第１分割画像のパターン画像をわかりにくくすることができる。
第３の発明は、第１の発明又は第２の発明の情報記録体において、前記第１分割画像の領域は、前記第１分割画像に対して前記規則に対応した変換処理をすることでコードに対応するデータを生成可能な大きさを有する、情報記録体である。
第４の発明は、第１の発明から第３の発明までのいずれかの情報記録体において、前記第２分割画像には、ＵＶ−Ｂ域又はＵＶ−Ｃ域の光において発光する前記蛍光材料が前記透明素材に付与されており、前記合成画像は、ＵＶ−Ｂ域及びＵＶ−Ｃ域の波長の紫外線において前記第２分割画像を認識可能なものである、情報記録体である。偽造（真似）しにくく、見破られにくい情報記録体とすることができる。
第５の発明は、第１の発明から第４の発明までのいずれかの情報記録体において、前記第１分割画像には、ＵＶ−Ｂ域又はＵＶ−Ｃ域の光において発光する前記蛍光材料が前記透明素材に付与されており、前記第１分割画像と、前記第２分割画像とは、異なる色を発光するものであり、前記合成画像は、ＵＶ−Ｂ域及びＵＶ−Ｃ域の波長の紫外線において前記第１分割画像を認識可能である、情報記録体である。
第６の発明は、第１の発明から第５の発明までのいずれかの情報記録体において、前記第１画像は、背景画像とパターン画像とから構成され、前記背景画像は、５０％以上７０％以下の網点面積率で構成され、前記パターン画像は、１００％の網点面積率で構成される、情報記録体である。
第７の発明は、第１の発明から第６の発明までのいずれかの情報記録体を備える媒体である。
第８の発明は、第１の発明から第６の発明までのいずれかの情報記録体を備える冊子体である。
【発明の効果】
【０００８】
本発明によれば、アプリケーションを用いずに真贋判定を可能にした情報記録体、媒体及び冊子体を提供することができる。
【図面の簡単な説明】
【０００９】
【図１】本実施形態に係る印刷物を説明するための図である。
【図２】本実施形態に係る印刷物で用いるインキを説明するための図である。
【図３】本実施形態に係る光輝層の画像の例を示す図である。
【図４】本実施形態に係る透明層のパターン画像の例を示す図である。
【図５】本実施形態に係る透明層の印刷例を示す図である。
【図６】本実施形態に係る情報記録体の構造に基づく観察態様を説明するための図である。
【図７】本実施形態に係るカードのコピー時の照明光源とカメラとの位置関係を説明するための図である。
【図８】本実施形態に係る読取装置の機能ブロック図である。
【図９】本実施形態に係る読取装置でのコード特定処理を示すフローチャートである。
【図１０】本実施形態に係る情報記録体と読取処理との関係を説明するための図である。
【発明を実施するための形態】
【００１０】
以下、本発明を実施するための形態について、図を参照しながら説明する。なお、これは、あくまでも一例であって、本発明の技術的範囲はこれに限られるものではない。
（実施形態）
図１は、本実施形態に係る印刷物１０を説明するための図である。
図２は、本実施形態に係る印刷物１０で用いるインキを説明するための図である。
【００１１】
＜印刷物１０＞
図１（Ａ）に示す印刷物１０（媒体）は、例えば、入場券等のチケットである。図１（Ａ）は、鉛直方向Ｚの上側から下方を見た印刷物１０の平面図を示す。印刷物１０は、例えば、それ自体に金銭的な価値を有するが、印刷物１０をコピーしたコピー品は、金銭的な価値を有さない。印刷物１０は、ベース１１と、情報記録体３０とを備える。
ベース１１は、印刷物１０の基礎となる基材であり、例えば、白色用紙から形成される。なお、ベース１１は、白色用紙に限らず、印刷画像を担持できる平面を有していればよく、上質紙、コート紙、タック紙、プラスチックカード、フィルム等、他のものであってもよい。印刷物１０に施された印刷画像は、この例では、チケットの内容に関するものである。
【００１２】
＜情報記録体３０の構造＞
ベース１１の表面側、つまり、Ｚ方向の上側には、情報記録体３０を有する。情報記録体３０は、潜像印刷によって、例えば、コード等の真贋判定に用いる情報が印刷されたものである。情報記録体３０に印刷された画像は、ベース１１の観察方向を変えることで変わるものである。
図１（Ｂ）は、図１（Ａ）におけるＧ−Ｇ方向断面の部分模式図である。図１（Ｂ）は、Ｙ方向手前から見た印刷物１０の断面図を示す。図１（Ｂ）に示すように、情報記録体３０は、ベース１１上に、光輝層３１と、透明層３２とを備える。
【００１３】
光輝層３１は、光輝性材料を含むインキによって、背景画像及びパターン画像から構成される画像（第１画像）が印刷された層である。ここで、光輝層３１が構成する画像は、特に限定されるものではなく、図柄であってもよいし、例えば、後述する読取装置５により読取可能なコードであってもよい。
透明層３２は、透明素材のインキによって、光輝層３１のパターン画像とは異なるパターン画像（第２画像）が印刷された層である。透明層３２のパターン画像は、２つの分割画像から構成される。分割画像のうちの１つであるコード認識用画像（第１分割画像）は、透明なインキのみである。他方、分割画像のうち残りの画像である図柄画像（第２分割画像）は、透明なインキに蛍光材料が付与されている。ここで、以下の説明において、透明層３２が構成するパターン画像は、コード認識用画像と、図柄画像とでは同じパターン画像であるものとして説明する。しかし、図柄画像には、異なるパターン画像を用いてもよいし、パターン画像でなくてもよい。
この例では、光輝層３１と、透明層３２とは、いずれも正方形状であり、透明層３２は、光輝層３１の全体に形成されている。
【００１４】
ここで、情報記録体３０の製造方法を、簡単に説明する。
まず、予めチケットの内容を印刷済のベース１１を用意し、ベース１１の上に光輝層３１として、光輝性材料を含む光沢インキ等で、背景画像及びパターン画像をグラビア印刷する。背景画像及びパターン画像を描くインキは、例えば、以下に例示するように、様々な種類のインキが想定される。
例えば、アルミニウム粉末、銅粉末、亜鉛粉、錫粉、又はリン化鉄等を成分とする銀色インキであってよい。また、銀色インキに、顔料や染料を含む有色色素の有彩色のインキを混合したインキであってよい。
【００１５】
さらに、光輝層３１は、青味金色又は赤味金色を示す光輝性材料のみのインキであってもよい。また、青味金色又は赤味金色を示す光輝性材料のインキに、上述した有色色素の有彩色のインキを混合したものであってもよい。
さらにまた、光を反射させることで色彩が変化する機能性顔料を含んだインキである、パールインキ、液晶インキ、ＯＶＩ（Ｏｐｔｉｃａｌ  Ｖａｒｉａｂｌｅ  Ｉｎｋ）、ＣＳＩ（Ｃｏｌｏｒ  Ｓｈｉｆｔｉｎｇ  Ｉｎｋ）等であってもよい。なお、パールインキは、通常の顔料と比較して真珠光沢を有し、その安全性、光沢性、高級感を有するパール顔料を含んでなるインキである。液晶インキは、温度で色が変わる特性を持つ液晶を含んでなるインキである。
図２に示す例では、光輝層３１には、光輝性材料を含む銀色インキを用いている。
【００１６】
次に、この光輝層３１の画像の上に、透明層３２として、透明なインキ等でコード認識用画像及び図柄画像を重ねてグラビア印刷する。コード認識用画像を描くインキは、例えば、マットＯＰニス、透明ニス、インキワニス、透明インキ又はメジウムインキ等の無彩色のインキである。なお、これらのインキは、紫外線硬化型インキ、酸化重合型インキ、浸透型インキ、過熱乾燥型インキ、蒸発乾燥型インキ等のいずれの印刷インキであってもよい。図柄画像を描くインキは、上記した無彩色のインキに、蛍光材料として、例えば、ＵＶ−Ｂ域又はＵＶ−Ｃ域の光において発光するインキを混ぜたインキである。ＵＶ−Ｂ域は、紫外線の励起波長が３１３ｎｍ程度（２８０〜３１５ｎｍ）のものであり、他方、ＵＶ−Ｃ域は、紫外線の励起波長が２５４ｎｍ程度（２００〜２８０ｎｍ）のものである。なお、ＵＶ−Ｂ域又はＵＶ−Ｃ域の光において発光するインキは、いずれも市販されていない特殊なインキである。
【００１７】
以降の説明において、無彩色のインキに、蛍光材料として、例えば、ＵＶ−Ｂ域又はＵＶ−Ｃ域の光が照射されることで発光するインキを混ぜたインキを、「特殊蛍光インキ」ともいう。これらの特殊蛍光インキは、ＵＶ−Ｂ域又はＵＶ−Ｃ域の波長の紫外線が照射されることで蛍光色を発色するものであり、通常の環境下においては、無色かつ透明である。
【００１８】
図２は、コード認識用画像を構成する透明層３２ａに用いるインキを無彩色のインキとし、図柄画像を構成する透明層３２ｂに用いるインキを、特殊蛍光インキとした場合を例示している。図２（ａ）は、断面図を示しており、（ａ−１）と（ａ−２）とは、いずれも平面図の（ｂ）、（ｃ）を線分Ｉ−Ｉで切断した場合の図である。図２（ｂ−１）に示すように、コード認識用画像を構成する透明層３２ａに用いるインキであっても、図柄画像を構成する透明層３２ｂに用いるインキであっても、いずれの場合にも、通常光の照射時においては、無色透明である。図２（ｂ−２）に示すように、ＵＶ−Ｂ域や、ＵＶ−Ｃ域の光である特定波長の紫外線照射時においては、透明層３２ａは、無色透明であるが、透明層３２ｂは、例えば、蛍光青色に発光する。ここで、特殊蛍光インキによってＵＶ−Ｂ域や、ＵＶ−Ｃ域の光が照射される環境下において発光する色として、青色の他、緑色、赤色を、少なくとも用意しておくとよい。そうすれば、それらの３色の特殊蛍光インキを組み合わせることで、様々な色を発光させることができる。
なお、ＵＶ−Ｂ域や、ＵＶ−Ｃ域の光が照射される環境下においては、光輝層３１は、視認されないため、図２では図示していない。また、図２（ｃ−１）において、実際には銀色が付されている。
【００１９】
ここで、光輝層３１及び透明層３２として塗布するインキの厚さは、いずれも、例えば、１マイクロメートル程度である。なお、インキの厚さは、これに限定するものではない。また、例えば、材料によって、インキの厚さを変えてもよい。
上述の印刷工程は、グラビア印刷に限らず、ウェットオフセット印刷、ドライオフセット印刷、凸版印刷、水無平版印刷、フレキソ印刷、スクリーン印刷及び凹版印刷等であってもよい。
【００２０】
次に、情報記録体３０の印刷工程で印刷される一定面積の印刷領域において、下地を隠蔽しうる面積を％で表した印刷条件を面積率とし、特に網点で下地を隠しうる場合を網点面積率として、光輝層３１及び透明層３２の印刷を説明する。
図３は、本実施形態に係る光輝層３１の画像の例を示す図である。
図４は、本実施形態に係る透明層３２のパターン画像の例を示す図である。
【００２１】
図３は、光輝層３１の画像Ｃ１（第１画像）及びその一部である領域Ｅ１を拡大したものを示す。光輝層３１は、画像Ｃ１が印刷された層である。画像Ｃ１は、領域Ｅ１に示すように、前景部Ｃ１ａと、背景部Ｃ１ｂとを２値で表した画像である。
前景部Ｃ１ａは、パターン画像を構成するものであり、例えば、網点面積率１００％で印刷がされている。
【００２２】
背景部Ｃ１ｂは、ベース１１が露出する空白領域を減らすためのものであり、背景画像を構成する。背景部Ｃ１ｂは、例えば、網点面積率７５％の印刷がされている。但し、背景部Ｃ１ｂの網点面積率は、一例であって、これに限定されない。つまり、背景部Ｃ１ｂの網点面積率が７５％以外であってもよい。その場合、背景部Ｃ１ｂの網点面積率は、透明層３２のパターン画像について、読み取り安定率の向上のため、５０％以上７０％以下になるようにするのが望ましい。
【００２３】
前景部Ｃ１ａと、背景部Ｃ１ｂとは、光輝層３１を構成する範囲の全体に印刷する。印刷の方法として、前景部Ｃ１ａと、背景部Ｃ１ｂとは、同時に印刷してもよいし、背景部Ｃ１ｂを印刷した後に、前景部Ｃ１ａを印刷してもよい。背景部Ｃ１ｂを印刷した後に、前景部Ｃ１ａを印刷する場合には、背景部Ｃ１ｂと、前景部Ｃ１ａの色を異なるものにすることが可能である。
【００２４】
図４（Ａ）は、透明層の画像Ｃ２（第２画像）及びその一部である領域Ｅ２を拡大したものを示す。透明層３２は、画像Ｃ２が印刷された層である。画像Ｃ２は、領域Ｅ２に示すように、前景部Ｃ２ａと、背景部Ｃ２ｂとを２値で表したパターン画像である。
この画像Ｃ２のパターン画像は、上述した前景部Ｃ１ａのパターン画像とは、コード体系が異なる。画像Ｃ２のパターン画像の詳細については、後述する。
【００２５】
前景部Ｃ２ａは、例えば、網点面積率１００％の印刷がされており、背景部Ｃ２ｂは、例えば、網点面積率２５％の印刷がされている。但し、この割合は、一例であって、これに限定されない。例えば、前景部Ｃ２ａの網点面積率は、１００％未満であってもよく、また、背景部Ｃ２ｂの網点面積率は、前景部Ｃ２ａとの間で所定の差があれば、網点面積率２５％以上であっても以下であってもよい。また、前景部Ｃ２ａと、背景部Ｃ２ｂとの疎密が逆であってもよい。
このような、情報記録体３０の透明層３２の画像Ｃ２は、パターン画像であるので、人が一見しただけでは意味のない画像である。
【００２６】
ここで、情報記録体３０の透明層３２は、前景部Ｃ２ａ及び背景部Ｃ２ｂからなるパターン画像が印刷されているものに限定されない。
図４（Ｂ）は、透明層３２の画像Ｃｙが、前景部のみからなるパターン画像である場合を示す。この場合、画像Ｃｙの印刷領域Ｃｙａを網点面積率１００％で印刷し、印刷領域Ｃｙａと、印刷しない非印刷領域Ｃｙｂとによって、２値でパターン画像を表したものになる。
【００２７】
次に、図４（Ａ）、（Ｂ）に示される透明層３２のパターン画像について説明する。
パターン画像は、特定の規則によって生成された画像である。パターン画像は、例えば、フーリエ変換を行うことで周波数変換した空間周波数領域に、特徴的な点や線を表すことができるものである。画像Ｃ２（又は画像Ｃｙ）に対して変換処理を行うことによって、変換処理後のデータは、例えば、特徴的な点を表すことができる。
ここで、特定の規則は、フーリエ変換に限定されるものではなく、他の変換処理であってもよい。例えば、バーコードに対する変換処理や、ＱＲコード（登録商標）等の二次元コードに対する変換処理等であってもよい。
【００２８】
次に、前述した透明層３２における光の波長と視認可能な画像との関係について、透明層３２のパターン画像の印刷例と共に説明する。
図５は、本実施形態に係る透明層３２の印刷例を示す図である。
図５（Ａ）には、無彩色のインキで印刷する透明層３２ａであるコード認識用画像を示す。
また、図５（Ｂ）には、特殊蛍光インキで印刷する透明層３２ｂである図柄画像を示す。この例で用いる特殊蛍光インキは、ＵＶ−Ｃ域の光が照射される環境下において発光する発光材料である。
そして、コード認識用画像と、図柄画像とは、共に同じパターン画像である。
【００２９】
図５（Ｃ）は、図５（Ａ）の印刷後に図５（Ｂ）を重ねて印刷した結果の透明層３２を示す。
図５（Ｄ）は、図５（Ｃ）の透明層３２に対してＵＶ−Ｃ域の光が照射された際の表示態様を示す。このように、ＵＶ−Ｃ域の光が照射された環境下においては、透明層３２ｂによって示される図柄画像のみが、特殊蛍光インキにより発光された状態になる。
なお、図５（Ｃ）に対して通常の光を照射した際の表示態様は、図５（Ｅ）のように無色透明な状態である。
【００３０】
次に、前述した情報記録体３０について、観察する視点の角度（観察角度）と、視認可能な画像との関係について説明する。
図６は、本実施形態に係る情報記録体３０の構造に基づく観察態様を説明するための図である。
図６は、拡散反射領域及び正反射（鏡面反射）領域での照明光源２１と、視点２２と、情報記録体３０との３つの位置関係を図示したものである。照明光源２１と情報記録体３０との位置に対して、位置Ｐ１に視点２２（２２ａ）があるとき、拡散反射領域で観察したことになる。また、照明光源２１と情報記録体３０との位置に対して、位置Ｐ２に視点２２（２２ｂ）があるとき、正反射領域で観察したことになる。
以下において、図３及び図４（Ａ）に示す画像Ｃ１及び画像Ｃ２を例に説明する。
【００３１】
情報記録体３０が光輝層３１のみからなる場合には、拡散反射領域においては、図３の画像Ｃ１の前景部Ｃ１ａと背景部Ｃ１ｂとの疎密差により反射光量に大きく差が生じるため、前景部Ｃ１ａと背景部Ｃ１ｂとが区別でき、前景部Ｃ１ａであるパターン画像が認識できる。他方、正反射領域においては、前景部Ｃ１ａと背景部Ｃ１ｂとが共に反射光量が大きくなるため、その差を感知できず、前景部Ｃ１ａと背景部Ｃ１ｂとは、区別できなくなる。つまり、正反射領域においては、前景部Ｃ１ａであるパターン画像が認識できない。
このように、光輝層３１は、光輝性材料のインキを用いることで、前景部Ｃ１ａであるパターン画像が観察角度によって見えたり見えなかったり、と様々な見せ方をさせることができる。
【００３２】
次に、情報記録体３０が透明層３２のみからなる場合には、拡散反射領域においては、図４（Ａ）の画像Ｃ２は、透明なため区別できない。他方、正反射領域においては、前景部Ｃ２ａと背景部Ｃ２ｂとの疎密差で反射光量が変わるため、前景部Ｃ２ａと背景部Ｃ２ｂとが区別できる。
このように、透明層３２は、観察角度によって反射光量が異なる材料（インキ等）を用いることで、透明層３２の画像Ｃ２であるパターン画像は、観察角度によって見えたり見えなかったり、と様々な見せ方をさせることができる。
【００３３】
そして、情報記録体３０が光輝層３１上に透明層３２が形成されたものである場合には、拡散反射領域においては、前景部Ｃ１ａであるパターン画像が区別でき、前景部Ｃ２ａと背景部Ｃ２ｂとが区別できないため、全体としては、前景部Ｃ１ａであるパターン画像が観察される。また、正反射領域においては、前景部Ｃ１ａと背景部Ｃ１ｂとは区別できず、前景部Ｃ２ａと背景部Ｃ２ｂとが区別できる。
そのため、情報記録体３０は、観察角度によって、光輝層３１と透明層３２との画像が見えたり見えなかったりと、様々な見せ方をさせることができる。
【００３４】
＜印刷物１０の複製＞
次に、印刷物１０が複製された場合について説明する。
図７は、本実施形態に係る印刷物１０のコピー時の照明光源２１とカメラ２３との位置関係を説明するための図である。
図７（Ａ）及び図７（Ｂ）は、コピー機等の複製機の照明光源２１とカメラ２３と印刷物１０との位置関係を示す。印刷物１０の情報記録体３０は、図７（Ａ）又は図７（Ｂ）に示す照明光源２１から光が照射された状態で、カメラ２３によってその画像が取得される。
【００３５】
図７（Ａ）は、照明光源２１とカメラ２３とが情報記録体３０に対して垂直方向に位置して、カメラ２３が画像を取得する場合である。また、図７（Ｂ）は、照明光源２１が情報記録体３０に対してやや斜め方向から照射し、カメラ２３が情報記録体３０に対して垂直方向から撮影して画像を取得する場合である。いずれの場合においても、カメラ２３には、照明光源２１と情報記録体３０との位置関係によって、情報記録体３０の光輝層３１と透明層３２との両方の画像が捉えられる。
このようにして、カメラ２３が得た画像をもとに、複製機では、印刷物１０のコピー品が作製される。
【００３６】
そして、コピー品は、印刷物１０の情報記録体３０（図１（Ａ）参照）に対応する位置に、印刷体（図示せず）を有するものになる。印刷体は、情報記録体３０の光輝層３１が有する画像と、透明層３２が有するパターン画像との合成画像を有する。よって、印刷体は、いずれの領域（拡散反射領域、正反射領域等）からの観察角度で観察した場合であっても、印刷体は、合成画像のみが見えるものになる。よって、印刷体は、透明層３２が有するパターン画像のみを観察できない。
【００３７】
また、印刷体は、市販されているインキで印刷されるので、例えば、特殊蛍光インキのようにＵＶ−Ｃ域等の光が照射される環境下において発光するものではない。よって、ＵＶ−Ｃ域の光が印刷体に照射されることで、印刷体を有するコピー品は、偽物であることを簡単に確認できる。
【００３８】
さらに、印刷物１０をモノクロ印刷した場合には、印刷体は、一般的なカーボンを含む黒色インキからなる層を有する。他方、印刷物１０をカラー印刷した場合には、印刷体は、一般的なＣＭＹＫインキからなる層を有する。
他方、上述したように、印刷物１０の情報記録体３０の光輝層３１は、メタリック調のインキを用いて作製されたものである。
よって、複製機では、メタリック調のインキにより表された色の調整がしづらくなり、コピー品の印刷体は、本物の印刷物１０の情報記録体３０とは、色味が異なるものになる。また、複製機では、透明なインキのコピーがしづらい。そのため、コピー品は、色の違いによって偽物であることが一見して把握できるものになる。
【００３９】
＜読取装置５＞
次に、印刷物１０の情報記録体３０からコードを読み取る読取装置５（外部装置）について説明する。
図８は、本実施形態に係る読取装置５の機能ブロック図である。
読取装置５は、例えば、スマートフォンに代表される携帯端末である。
読取装置５は、制御部５０と、記憶部６０と、読取部６５と、タッチパネルディスプレイ６７と、通信インタフェース部６９とを備える。
制御部５０は、読取装置５の全体を制御するＣＰＵ（中央処理装置）である。制御部５０は、記憶部６０に記憶されているＯＳ（オペレーティングシステム）やアプリケーションプログラムを適宜読み出して実行することにより、上述したハードウェアと協働し、各種機能を実行する。
制御部５０は、画像受付部５１と、変換部５３と、コード特定部５５とを備える。
【００４０】
画像受付部５１は、情報記録体３０を読取部６５が読み取ることで、読取部６５を介して情報記録体３０の画像データを受け付ける。
変換部５３は、後述する変換アプリ６１ｂを用いて、画像受付部５１が受け付けた画像データに対して所定の変換を行い、コード生成のためのデータを取得する。
コード特定部５５は、コードテーブル６３を参照して、変換部５３により取得されたデータからコードを特定する。
【００４１】
記憶部６０は、制御部５０が各種の処理を実行するために必要なプログラム、データ等を記憶するためのハードディスク、半導体メモリ素子等の記憶領域である。
なお、コンピュータとは、制御部、記憶装置等を備えた情報処理装置をいい、読取装置５は、制御部５０、記憶部６０等を備えた情報処理装置であり、コンピュータの概念に含まれる。
記憶部６０は、プログラム記憶部６１と、コードテーブル６３とを記憶している。
プログラム記憶部６１は、各種のプログラムを記憶する記憶領域である。プログラム記憶部６１は、制御プログラム６１ａと、変換アプリ６１ｂとを記憶する。制御プログラム６１ａは、制御部５０の各機能を実行するためのプログラムである。変換アプリ６１ｂは、制御プログラム６１ａから呼び出される、コードを読み取るための専用アプリである。制御プログラム６１ａ及び変換アプリ６１ｂは、通信インタフェース部６９を介して、例えば、図示しないアプリ配信サーバからダウンロードして、プログラム記憶部６１に記憶される。
コードテーブル６３は、コードを記憶したテーブルである。コードテーブル６３には、予め透明層３２のパターン画像に対応したデータと、データに対応したコードとを記憶している。
【００４２】
読取部６５は、例えば、カメラであって、画像や文字等の印刷内容を画像として取得する装置である。印刷物１０の情報記録体３０は、読取装置５の読取部６５によって読み取られる。
タッチパネルディスプレイ６７は、液晶パネル等で構成される表示部としての機能と、ユーザの指等によるタッチ入力を検出する入力部としての機能とを有する。
通信インタフェース部６９は、例えば、上述した配信サーバ等との間で通信を行うためのインタフェースである。
【００４３】
＜読取装置５の処理＞
次に、読取装置５の処理について説明する。
図９は、本実施形態に係る読取装置５でのコード特定処理を示すフローチャートである。
図１０は、本実施形態に係る情報記録体３０と読取処理との関係を説明するための図である。
図９のステップＳ（以下、単に「Ｓ」という。）１０において、読取装置５の制御部５０は、読取部６５を起動させる。
Ｓ１１において、制御部５０（画像受付部５１）は、読取部６５を介して情報記録体３０に有する画像を読み取る。
【００４４】
ここで、ユーザは、読取部６５を、情報記録体３０の透明層３２が有するパターン画像を読取可能な角度から、画像を読み取ることができる。また、ユーザは、読取部６５を、情報記録体３０の光輝層３１が有する画像を読取可能な角度から、画像を読み取ることができる。さらに、ユーザは、読取部６５を、情報記録体３０の光輝層３１及び透明層３２の両方が有する画像を読取可能な角度から、画像を読み取ることができる。
コードを特定する場合、ユーザは、透明層３２が有するパターン画像を読取可能な角度から画像を読み取るために、例えば、透明層３２が視認可能な正反射領域を特定して、画像を読み取るための操作を行う。
【００４５】
ここで、画像の読取処理について、事例に基づき説明する。
図１０（Ａ）は、情報記録体３０の透明層３２−２を示す。また、図１０（Ｂ）は、図１０（Ａ）に示すものに比べて領域が小さい情報記録体３０の透明層３２−３を示す。
透明層３２−２と、透明層３２−３とは、いずれも、図柄画像を構成する透明層３２ｂが、コード認識用画像を構成する透明層３２ａに対してずれて印刷された状態になっている。なお、コード認識用画像を構成する透明層３２ａと、図柄画像を構成する透明層３２ｂとの印刷順については、先後を問わず、どちらを先に印刷してもよい。
制御部５０は、画像を読み取るために、読み取り開始位置を、例えば、左上の位置３５にセットして、位置３５からＸ方向右に移動させ、右端に至ると、次に、Ｘ方向左側に戻り、Ｙ方向下に移動させて、また、Ｘ方向右に移動させていく。そのようにすることで、制御部５０は、透明層３２のパターン画像を読み取る。
【００４６】
図９のＳ１２において、制御部５０（変換部５３）は、読み取った画像に対して変換処理を行い、コード生成のためのデータを取得する。変換処理は、変換アプリ６１ｂにより実行される。
画像受付部５１により受け付けた画像を読み取ったら、読み取った画像に対して変換処理を行い、コード生成のためのデータを取得する。
図１０（Ａ）に示す透明層３２−２は、コード認識用画像を構成する透明層３２ａの領域がコード生成のためのデータを取得するのに十分な大きさである。そのため、図柄画像を構成する透明層３２ｂが多少ずれていても、制御部５０は、透明層３２−２からコード生成のためのデータを取得できる。他方、図１０（Ｂ）に示す透明層３２−３は、コード認識用画像を構成する透明層３２ａの領域が小さい。そのため、制御部５０は、透明層３２−３からコード生成のためのデータを取得できない。なお、透明層３２−３において、コード認識用画像を構成する透明層３２ａに対して、図柄画像を構成する透明層３２ｂがずれていない場合には、制御部５０は、透明層３２−３からコード生成のためのデータを取得できる場合がある。
【００４７】
図９のＳ１３において、制御部５０（コード特定部５５）は、コードテーブル６３を参照して、取得したデータに対応するコードが特定できたか否かを判断する。コードテーブル６３に取得したデータに一致するものがある場合には、コードが特定できる。コードが特定できた場合（Ｓ１３：ＹＥＳ）には、制御部５０は、処理をＳ１４に移す。他方、コードが特定できなかった場合（Ｓ１３：ＮＯ）には、制御部５０は、処理をＳ１４ａに移す。
Ｓ１４において、制御部５０は、コードを特定できた旨を、タッチパネルディスプレイ６７に表示させる。その後、制御部５０は、本処理を終了する。なお、本処理を終了後、制御部５０は、特定したコードに基づく処理を行う。
他方、Ｓ１４ａにおいて、制御部５０は、エラーである旨を、タッチパネルディスプレイ６７に表示させる。その後、制御部５０は、本処理を終了する。
【００４８】
ユーザが、読取装置５を用いて、透明層３２のパターン画像のみを読取可能な角度から読取部６５が画像を読み取った場合に、制御部５０は、透明層３２のパターン画像のみを得る。そして、制御部５０は、変換アプリ６１ｂを実行して、コード認識用画像を構成する透明層３２ａの領域がコード生成のためのデータを取得するのに十分な大きさである場合には、コードを特定するためのデータを取得する（図９のＳ１２）。ここで、透明層３２のパターン画像に対応するコードは、コードテーブル６３に記憶されているので、制御部５０は、コードが特定できる（図９のＳ１３：ＹＥＳ）。
他方、制御部５０は、変換アプリ６１ｂを実行して、コード認識用画像を構成する透明層３２ａの領域がコード生成のためのデータを取得するのに十分な大きさではない場合には、コードを特定するためのデータを取得できない（図９のＳ１２）。よって、取得したデータに対するコードは、コードテーブル６３に記憶されておらず、制御部５０は、コードが特定できない（図９のＳ１３：ＮＯ）。
【００４９】
また、ユーザが、読取装置５を用いて、透明層３２のパターン画像と、光輝層３１の画像とを読取可能な角度から読取部６５が画像を読み取った場合には、制御部５０は、透明層３２のパターン画像のみを得ることがない。そして、光輝層３１の画像のみを読み取り可能な角度から読取部６５が画像を読み取った場合にも、制御部５０は、透明層３２のパターン画像のみを得ることがない。このような場合、光輝層３１の画像に含まれるパターン画像は、透明層３２のパターン画像とは異なるコード体系である。そのため、制御部５０は、変換アプリ６１ｂを実行すると（図９のＳ１２）、透明層３２のパターン画像のみに対応するコードを特定するためのデータを取得できない。よって、取得したデータに対するコードは、コードテーブル６３に記憶されておらず、制御部５０は、コードが特定できない（図９のＳ１３：ＮＯ）。
【００５０】
このように、本実施形態によれば、以下のような効果がある。
（１）情報記録体３０は、透明層３２の一部である図柄画像を構成する透明層３２ｂに蛍光インキを用いることで、例えば、蛍光インキに対応した特定の波長の光を照射すれば、図柄画像が現れる。よって、図柄画像を見た目で認識でき、情報記録体３０の真贋を、図柄画像の有無によって簡単に判別できる。
また、透明なインキを用いた印刷層である透明層３２のうち、少なくともコード認識用画像を構成する透明層３２ａをパターン画像とすることで、コード認識用画像を構成する透明層３２ａを見た目に認識しづらいものにできる。
そして、光輝層３１に重ねて透明層３２を配置するので、透明層３２を、さらに見た目に認識しづらくできる。
【００５１】
（２）情報記録体３０は、図柄画像を構成する透明層３２ｂを、パターン画像とすることで、透明なインキを用いた印刷層である透明層３２からコード認識用画像を構成する透明層３２ａをさらに見た目に認識しづらくできる。また、コード認識用画像と図柄画像とがずれることなく印刷されていれば、読取装置５がデータを取得するまでの処理時間を短くすることができる。
（３）情報記録体３０は、コード認識用画像を構成する透明層３２ａの領域を、コードに対応するデータを生成可能な大きさにすることで、読取装置５によってコード認識用画像を構成する透明層３２ａからデータを得ることができる。そうすることで、コード認識用画像を構成する透明層３２ａによりコードを取得できる。
【００５２】
（４）情報記録体３０は、図柄画像を構成する透明層３２ｂに、ＵＶ−Ｂ域又はＵＶ−Ｃ域の光で発光する特殊蛍光インキを用いることで、特定の波長の光において、特殊蛍光インキが発光する。これは、通常の光やＵＶ−Ａ域の光を照射するブラックライトでは発光しないため、図柄画像を複製させにくくでき、かつ、ＵＶ−Ｂ域又はＵＶ−Ｃ域の光では、発光により図柄画像が見えるため、情報記録体３０の真贋を簡単に判別できる。
そして、ＵＶ−Ｂ域又はＵＶ−Ｃ域の光で発光する特殊蛍光インキは、市販されていないため、偽造をよりしにくいものにできる。
【００５３】
（５）情報記録体３０は、光輝層３１を、網点面積率が５０％〜７０％の背景画像を構成する背景部Ｃ１ｂと、網点面積率１００％のパターン画像を構成する前景部Ｃ１ａとから構成する。よって、透明層３２を認識可能な特定の観察角度において、透明層３２を認識しやすいものにできる。
【００５４】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５５】
（変形形態）
（１）本実施形態では、透明な無彩色のインキによる透明層３２として、コード認識用画像を構成する透明層３２ａが無彩色のインキによるものであり、図柄画像を構成する透明層３２ｂが特殊蛍光インキによるものであるものを例に説明したが、これに限定されない。例えば、コード認識用画像を構成する透明層３２ａは、特殊蛍光インキによるものであってもよい。その場合には、図柄画像を構成する透明層３２ｂとの判別がつくよう、コード認識用画像を構成する透明層３２ａは、図柄画像を構成する透明層３２ｂとは異なる色にしてもよい。このようにすれば、見た目ではわかりにくいものであるため、偽造をしにくくできる。
また、図柄画像を構成する透明層３２ｂは、ＵＶ−Ｃ域等ではない、例えば、紫外線の波長が３１５〜３８０ｎｍ程度であるＵＶ−Ａ域のインク等、ブラックライトによって発光する蛍光インキによるものであってもよい。
さらに、光輝層３１は、単色のインキを用いるものを例に説明したが、複数色のインキを用いてもよい。
【００５６】
（２）本実施形態では、透明層３２の画像Ｃ２を構成するコード認識用画像と、図柄画像との両方において、パターン画像であるものを例に説明したが、これに限定されない。図柄画像は、パターン画像でなくてもよい。
【００５７】
（３）本実施形態では、光輝層３１及び透明層３２を正方形状であるものとして説明したが、これに限定されない。光輝層３１及び透明層３２は、長方形状や、円形状、楕円形上等、他の形状であってもよい。また、図柄画像を構成する透明層３２ｂを、星の図柄として説明したが、ハートの絵柄や、三角形等、他の形状や絵柄であってもよい。
【００５８】
（４）本実施形態では、透明層３２の画像Ｃ２を、コード認識用画像と、図柄画像との２つの分割画像から構成されたものを例に説明したが、これに限定されない。３つ以上の分割画像から構成されていてもよく、例えば、図柄画像は、複数あってもよい。
【００５９】
（５）本実施形態では、光輝層３１の上に、直接透明層３２を形成したものを例に説明したが、これに限定されない。例えば、光輝層３１と、透明層３２との間に透明フィルムのような基材を有するものであってもよい。また、例えば、本実施形態で説明した光輝層３１の上に透明層３２を形成したものに対して、さらに、透明層３２の上に、透明フィルムのような基材を有するものであってもよい。
【００６０】
（６）本実施形態では、情報記録体３０を有する印刷物１０を、チケットを例に説明したが、これに限定されない。例えば、ＩＤ証や、ゲームで使用するカード媒体であってもよい。また、チケット以外の、それ自体に金銭的な価値を有するが、コピー品は金銭的な価値を有さない紙媒体等の印刷物であってもよいし、セキュリティ保護のラベル等であってもよい。さらに、パスポート等の冊子体であってもよい。
（７）本実施形態では、パターン画像を印刷するものを例に説明したが、これに限定されない。転写や、レーザ描画等の印刷以外の手法で、パターン画像を形成するものであってもよい。
【００６１】
（８）本実施形態では、読取装置を、携帯端末を例に説明したが、これに限定されない。例えば、パーソナルコンピュータであってもよい。そして、読取部は、スキャナ等であってもよい。
【符号の説明】
【００６２】
５      読取装置
１０    印刷物
２１    照明光源
２３    カメラ
３０    情報記録体
３１    光輝層
３２，３２ａ，３２ｂ  透明層
５０    制御部
６０    記憶部
６１ａ  制御プログラム
６１ｂ  変換アプリ
６３    コードテーブル
６５    読取部
Ｃ１，Ｃ２，Ｃｙ  画像
Ｃ１ａ  背景画像
Ｃ１ｂ  パターン画像
【図１】
2020189442.tif 000003
【図２】
2020189442.tif 000004
【図３】
2020189442.tif 000005
【図４】
2020189442.tif 000006
【図５】
2020189442.tif 000007
【図６】
2020189442.tif 000008
【図７】
2020189442.tif 000009
【図８】
2020189442.tif 000010
【図９】
2020189442.tif 000011
【図１０】
2020189442.tif 000012